(57)【要約】【課題】風切り音による爽快感を十分に得ることのできるゴルフクラブ用風切り音発生具、ゴルフクラブ用ソケット及びゴルフクラブを提供する。【解決手段】ゴルフクラブシャフト１の外周面に取付けられる筒状部材１１の外周面に、筒状部材１１の軸方向に延びる複数の突条部１２を互いに筒状部材１１の周方向に間隔をおいて設け、各突条部１２によってスイング時に風切り音を発生させるようにしたので、スイング時の風切り音を意図的に発生させることができ、風切り音による爽快感を十分に得ることができる。【選択図】図１
2009000221.tif 000002
【特許請求の範囲】
【請求項１】
ゴルフクラブシャフトの外周面に取付可能な筒状部材からなるゴルフクラブ用風切り音発生具であって、
前記筒状部材の外周面にスイング時に風切り音を発生させる複数の突条部を設け、各突条部を筒状部材の軸方向に延びるように形成するとともに、互いに筒状部材の周方向に間隔をおいて設けた
ことを特徴とするゴルフクラブ用風切り音発生具。
【請求項２】
前記各突条部を、筒状部材における径方向の高さが１．０ｍｍ以上になるように形成するとともに、隣り合う突条部が筒状部材の軸心を中心に周方向に２５゜以上５０゜以下の角度をなす間隔になるように設けた
ことを特徴とする請求項１記載のゴルフクラブ用風切り音発生具。
【請求項３】
前記筒状部材を径方向に分割された複数の分割部によって形成した
ことを特徴とする請求項１または２記載のゴルフクラブ用風切り音発生具。
【請求項４】
ゴルフクラブヘッドのホーゼル部とゴルフクラブシャフトとの接合部を覆う筒状部材からなるゴルフクラブ用ソケットにおいて、
前記筒状部材の外周面にスイング時に風切り音を発生させる複数の突条部を設け、各突条部をゴルフクラブシャフトの軸方向に延びるように形成するとともに、互いにゴルフクラブシャフトの周方向に間隔をおいて設けた
ことを特徴とするゴルフクラブ用ソケット。
【請求項５】
前記各突条部を、ゴルフクラブシャフトの径方向の高さが１．０ｍｍ以上になるように形成するとともに、隣り合う突条部がゴルフクラブシャフトの軸心を中心に周方向に２５゜以上５０゜以下の角度をなす間隔になるように設けた
ことを特徴とする請求項４記載のゴルフクラブ用ソケット。
【請求項６】
ゴルフクラブシャフトの先端にゴルフクラブヘッドを有するゴルフクラブにおいて、
前記ゴルフクラブシャフトまたはゴルフクラブヘッドのホーゼル部の外周面に設けられ、スイング時に風切り音を発生させる複数の突条部を備え、
各突条部をゴルフクラブシャフトの軸方向に延びるように形成するとともに、互いにゴルフクラブシャフトの周方向に間隔をおいて設けた
ことを特徴とするゴルフクラブ。
【請求項７】
前記各突条部を、ゴルフクラブシャフトの径方向の高さが１．０ｍｍ以上になるように形成するとともに、隣り合う突条部がゴルフクラブシャフトの軸心を中心に周方向に２５゜以上５０゜以下の角度をなす間隔になるように設けた
ことを特徴とする請求項６記載のゴルフクラブ。
【発明の詳細な説明】
【技術分野】
【０００１】
本発明は、スイング時に風切り音を発生させるゴルフクラブ用風切り音発生具、ゴルフクラブ用ソケット及びゴルフクラブに関するものである。
【背景技術】
【０００２】
一般に、ゴルフクラブをスイングする際には風切り音が発生するが、この風切り音はスイング速度が速いほど大きくなるため、ゴルファーにとってはスイング時に大きな風切り音が発生することにより爽快感を得ることができる。
【特許文献１】特開２００３−１４４５８９号公報
【発明の開示】
【発明が解決しようとする課題】
【０００３】
しかしながら、従来のゴルフクラブでは、風切り音を意図的に発生させる構成とはなっていないため、例えばヘッドスピードの遅いゴルファーがスイングする場合など、必ずしも大きな風切り音が発生するとは限らず、風切り音による爽快感を十分に得ることができなかった。
【０００４】
本発明は前記問題点に鑑みてなされたものであり、その目的とするところは、風切り音による爽快感を十分に得ることのできるゴルフクラブ用風切り音発生具、ゴルフクラブ用ソケット及びゴルフクラブを提供することにある。
【課題を解決するための手段】
【０００５】
本発明は前記目的を達成するために、ゴルフクラブシャフトの外周面に取付可能な筒状部材からなるゴルフクラブ用風切り音発生具であって、前記筒状部材の外周面にスイング時に風切り音を発生させる複数の突条部を設け、各突条部を筒状部材の軸方向に延びるように形成するとともに、互いに筒状部材の周方向に間隔をおいて設けている。
【０００６】
これにより、本発明の風切り音発生具を取付けたゴルフクラブをスイングすると、各突条部によって風切り音が発生することから、スイング時の風切り音を意図的に発生させることができる。
【０００７】
また、本発明は前記目的を達成するために、ゴルフクラブヘッドのホーゼル部とゴルフクラブシャフトとの接合部を覆う筒状部材からなるゴルフクラブ用ソケットにおいて、前記筒状部材の外周面にスイング時に風切り音を発生させる複数の突条部を設け、各突条部をゴルフクラブシャフトの軸方向に延びるように形成するとともに、互いにゴルフクラブシャフトの周方向に間隔をおいて設けている。
【０００８】
これにより、本発明のソケットを有するゴルフクラブをスイングすると、各突条部によって風切り音が発生することから、スイング時の風切り音を意図的に発生させることができる。
【０００９】
また、本発明は前記目的を達成するために、ゴルフクラブシャフトの先端にゴルフクラブヘッドを有するゴルフクラブにおいて、前記ゴルフクラブシャフトまたはゴルフクラブヘッドのホーゼル部の外周面に設けられ、スイング時に風切り音を発生させる複数の突条部を備え、各突条部をゴルフクラブシャフトの軸方向に延びるように形成するとともに、互いにゴルフクラブシャフトの周方向に間隔をおいて設けている。
【００１０】
これにより、本発明のゴルフクラブをスイングすると、各突条部によって風切り音が発生することから、スイング時の風切り音を意図的に発生させることができる。
【発明の効果】
【００１１】
本発明によれば、スイング時の風切り音を意図的に発生させることができるので、風切り音による爽快感を十分に得ることができる。
【発明を実施するための最良の形態】
【００１２】
図１乃至図５は本発明の一実施形態を示すもので、図１は本発明の風切り音発生具を取付けたゴルフクラブの要部斜視図、図２は風切り音発生具の軸方向正面図、図３はその側面図、図４は風切り音発生具の取付工程を示す軸方向正面図、図５は実験結果を示す図である。
【００１３】
同図に示すゴルフクラブ１は、スチールまたはカーボンからなるゴルフクラブシャフト２と、ゴルフクラブシャフト２の先端部に取付けられたゴルフクラブヘッド３と、ゴルフクラブシャフト２の基端部に装着された図示しないグリップとから構成されている。ゴルフクラブヘッド３はゴルフクラブシャフト２の先端側が接合されるホーゼル部３ａを有し、ホーゼル部３ａとゴルフクラブシャフト２の接合部分にはゴルフクラブシャフト２の外周面を覆うソケット４が取付けられている。
【００１４】
本実施形態の風切り音発生具１０はゴルフクラブシャフト２の外周面に取付可能な筒状部材１１からなり、例えば合成樹脂の成型品によって形成されている。筒状部材１１は径方向に分割された一対の分割部１１ａによって形成され、各分割部１１ａは内面がゴルフクラブシャフト２の外周面に沿って湾曲する円弧状に形成されている。筒状部材１１の外周面にはスイング時に風切り音を発生させる複数の突条部１２が設けられ、各突条部１２は筒状部材１１の径方向外側に向かって突出し、筒状部材１１の軸方向に延びるように形成されている。また、各突条部１２は筒状部材１１の周方向に等間隔で設けられ、各突条部１２の側面は筒状部材１１の軸心に向かって延びるように形成されている。この場合、各突条部１２は、筒状部材１１における径方向の高さＨが１．０ｍｍ以上になるように形成されるとともに、隣り合う突条部１２が筒状部材１１の軸心を中心に周方向に２５゜以上５０゜以下の角度θをなす間隔になるように設けられている。
【００１５】
以上のように構成された風切り音発生具１０は、図４に示すように各分割部１１ａの内面を接着剤や両面テープによってゴルフクラブシャフト２の外周面に接着することにより、図１に示すようにゴルフクラブシャフト２の先端側に取付けられる。
【００１６】
前記風切り音発生具１０を取付けたゴルフクラブ１においては、ゴルフクラブ１をスイングすると、風切り音発生具１０の各突条部１２によって風切り音が発生する。即ち、ゴルフクラブ１のスイングにより各突条部１２が空気中を高速で移動すると、上流側の突条部１２から剥離した空気が下流側の突条部１２の側面に衝突し、この衝突時に自励振動が起こり、これら突条部１２間の溝部（キャビティ）で共鳴することにより風切り音が発生する。
【００１７】
ここで、本発明の実施例１〜９及び従来例について、スイング時の風切り音による爽快感の実験を行ったところ、図５の結果が得られた。この場合、各実施例では風切り音発生具１０を取付けたゴルフクラブを使用し、風切り音発生具１０には筒状部材１１の軸方向長さＬが３０ｍｍ、突条部１２を含む外径Ｄが１７ｍｍのものを用いた。
【００１８】
本実験では、２５名のゴルファーにより、ゴルフクラブをスイングした際に得られる風切り音の爽快感について４段階で評価した。即ち、爽快に感じられた場合は４点、やや爽快に感じられた場合は３点、特に爽快に感じない場合は２点、不快に感じた場合は１点とした。そして、これらの評価点をそれぞれ合計し、従来例を１００として換算した値が大きいほど爽快感に優れるとして判定した。実験の結果、各実験例１〜９は何れも従来例に比べて優れている結果が得られた。特に、各突条部１２の高さＨが１．０ｍｍ以上であって、各突条部１２の周方向の角度θが２５゜以上５０゜以下の実験例４〜９は他の実験例１〜３に比べて顕著な効果が得られた。
【００１９】
このように、本実施形態の風切り音発生具１０によれば、ゴルフクラブシャフト１の外周面に取付けられる筒状部材１１の外周面に、筒状部材１１の軸方向に延びる複数の突条部１２を互いに筒状部材１１の周方向に間隔をおいて設け、各突条部１２によってスイング時に風切り音を発生させるようにしたので、スイング時の風切り音を意図的に発生させることができ、風切り音による爽快感を十分に得ることができる。
【００２０】
この場合、各突条部１２を、筒状部材１１における径方向の高さＨが１．０ｍｍ以上になるように形成するとともに、隣り合う突条部１２が筒状部材１１の軸心を中心に周方向に２５゜以上５０゜以下の角度θをなす間隔になるように設けたので、スイング時の風切り音をより効果的に発生させることができ、風切り音による爽快感を確実に得ることができる。
【００２１】
また、筒状部材１１を径方向に分割された複数の分割部１１ａによって形成したので、接着によりゴルフクラブシャフト１の外周面に容易に取付けることができ、既製のゴルフクラブに後から取付ける場合に極めて有利である。
【００２２】
図６乃至図８は本発明の他の実施形態を示すもので、図６は本発明のソケットを備えたゴルフクラブの要部斜視図、図７はその分解斜視図、図８はソケットの側面断面図である。尚、前記実施形態と同等の構成部分には同一の符号を付して示す。
【００２３】
同図に示すソケット２０は、ゴルフクラブヘッド３のホーゼル部３ａとゴルフクラブシャフト２との接合部を覆う筒状部材２１からなり、筒状部材２１は合成樹脂の成型品によって形成されている。筒状部材２１は軸方向に貫通するシャフト挿通用の孔２１ａを有し、筒状部材２１の外周面は外径が軸方向一端側から他端側に向かって徐々に大きくなるようにテーパ状に形成されている。筒状部材２１の外周面には、スイング時に風切り音を発生させる複数の突条部２２が設けられ、各突条部２２は筒状部材２１の径方向外側に向かって突出し、ゴルフクラブシャフト２の軸方向に延びるように形成されている。
【００２４】
前記ソケット２０を有するゴルフクラブ１においては、ゴルフクラブ１をスイングすると、前記実施形態と同様、ソケット２０の各突条部２２によって風切り音が発生し、風切り音による爽快感を十分に得ることができる。
【００２５】
この場合、各突条部２２を、前記実施形態と同様、ゴルフクラブシャフト２の径方向の高さが１．０ｍｍ以上になるように形成するとともに、隣り合う突条部２２がゴルフクラブシャフト２の軸心を中心に周方向に２５゜以上５０゜以下の角度をなす間隔になるように設けることにより、スイング時の風切り音をより効果的に発生させることができる。
【００２６】
尚、前記実施形態では、ゴルフクラブ１のソケット２０に突条部２２を設けたものを示したが、ソケット以外の部分、例えばホーゼル部の外周面に同様の突条部を設けるようにしてもよい。
【図面の簡単な説明】
【００２７】
【図１】本発明の一実施形態を示す風切り音発生具を取付けたゴルフクラブの要部斜視図
【図２】風切り音発生具の軸方向正面図
【図３】風切り音発生具の側面図
【図４】風切り音発生具の取付工程を示す軸方向正面図
【図５】実験結果を示す図
【図６】本発明の他の実施形態を示すソケットを備えたゴルフクラブの要部斜視図
【図７】ゴルフクラブの分解斜視図
【図８】ソケットの側面断面図
【符号の説明】
【００２８】
１…ゴルフクラブ、２…ゴルフクラブシャフト、１０…風切り音発生具、１１…筒状部材、１１ａ…分割部、１２…突条部、２０…ソケット、２１…筒状部材、２２…突条部。
【図１】
2009000221.tif 000003
【図２】
2009000221.tif 000004
【図３】
2009000221.tif 000005
【図４】
2009000221.tif 000006
【図５】
2009000221.tif 000007
【図６】
2009000221.tif 000008
【図７】
2009000221.tif 000009
【図８】
2009000221.tif 000010